(57)【要約】【課題】素材となる帯を裁断することなく作成することができる軽装帯を提供する。【解決手段】素材となる帯の一端を含む第一の部分から構成され使用者の胴体に巻き付けられる胴１３と、前記素材となる帯の他端を含む第２の部分から構成された羽根１１と、第１の部分と第２の部分の中間の第３の部分を胴と直交する方向に折り曲げて幅方向に二つ折りして構成され、胴の一方の端部の表側上線付近にその一端を固定された手先１４と、を備えた軽装帯。【選択図】図１
2014001482.tif 000002
【特許請求の範囲】
【請求項１】
素材となる帯の一端を含む第一の部分から構成され使用者の胴体に巻き付けられる胴と、
前記素材となる帯の他端を含む第２の部分から構成された羽根と、
第１の部分と第２の部分の中間の第３の部分を胴と直交する方向に折り曲げて幅方向に二つ折りして構成され、胴の一方の端部の表側上線付近にその一端を固定された手先と、
を備えた軽装帯。
【請求項２】
手先は幅方向に二つ折りされた第三の部分をさらに長さ方向に２枚重ねにして構成され、胴の上線のやや上の位置で幅方向の中央付近を手先を構成する４枚の帯地のうち上から３枚を幅方向に縫い止めてあることを特徴とする請求項１に記載の軽装帯。
【請求項３】
第３の部分を胴と直交する方向に折り曲げて幅方向に二つ折りして構成され、胴の一方の端部の裏面に固定された土台を備えたことを特徴とする請求項１又は請求項２に記載の軽装帯。
【請求項４】
手先の先端付近に固定された第１の面ファスナーと、
土台の上部に固定され第１の面ファスナーとかみ合う第２の面ファスナーとを備えたことを特徴とする請求項３に記載の軽装帯。
【請求項５】
土台の上部に一端を取り付けられ他端を装着時に結びあわせられる２本の上紐と、
一端を胴の左右の端部下側に取り付けられ他端を装着時に結びあわせられる２本の下紐とを備えたことを特徴とする請求項３または請求項４に記載の軽装帯。
【請求項６】
前記下紐のうち胴の手先が配置される側の端部下側に取り付けられたものは胴の下線と４５度以下の角度をなすように配置されていることを特徴とする請求項５に記載の軽装帯。
【発明の詳細な説明】
【技術分野】
【０００１】
本発明は、１本の帯を裁断することなく作成する軽装帯に関する。
【背景技術】
【０００２】
和服用の帯は通常一続きの布からなっており、これを使用者の胴体に和服の上から巻き付け端部を結んで使用する。羽根と呼ばれる帯の結び目部分の形状は意匠が凝らされた種々のものが考案されており、この結び方を習得するには多くの時間を要し和服が敬遠される一因となっている。
【０００３】
和服の着付けを簡単にするために軽装帯あるいは付け帯と呼ばれるものが従来から使用されている。例えば、特許文献１には、胴帯部分と太鼓部分とを別体に構成した付け帯が記載されている。この付け帯では、胴帯に固定されたゴムバンドに胴帯とは別の布からなる複数の羽根を挿入することにより太鼓部分を構成するようになっている。
【先行技術文献】
【特許文献】
【０００４】
【特許文献１】特開２００２−２６６１４３号公報
【発明の概要】
【発明が解決しようとする課題】
【０００５】
上記の従来技術では胴帯部分と太鼓部分が別々の布で構成されている。そのため、一枚の通常の帯から作成した場合には、もとに戻すことができないという問題がある。そこで、本発明は素材となる帯を裁断することなく作成することができる軽装帯を提供することを目的とする。
【課題を解決するための手段】
【０００６】
本発明の軽装帯は、
素材となる帯の一端を含む第一の部分から構成され使用者の胴体に巻き付けられる胴と、
前記素材となる帯の他端を含む第２の部分から構成された羽根と、
第１の部分と第２の部分の中間の第３の部分を胴と直交する方向に折り曲げて幅方向に二つ折りして構成され、胴の一方の端部の表側上線付近にその一端を固定された手先と、
を備えている。
【発明の効果】
【０００７】
本発明の、軽装帯は素材となる帯を裁断することなく、折り曲げと縫合をすることによって製造される。そのため、縫合部分をほどくことによって容易に素材となる帯を元の状態に戻すことができる。更に、多様な意匠をこらした羽根を何度でも作製することができ、羽根作りの技術の習得が容易になる。
【図面の簡単な説明】
【０００８】
【図１】軽装帯の正面図である。
【図２】軽装帯の背面図である。
【図３】（ａ）〜（ｄ）は軽装帯の製造方法を説明する図である。
【図４】（ａ）〜（ｃ）は軽装帯の製造方法を説明する図である。
【図５】（ａ）〜（ｄ）は軽装帯の製造方法を説明する図である。
【図６】（ａ）〜（ｄ）は羽根の作り方を説明する図である。
【図７】（ａ）〜（ｇ）は軽装帯の装着方法を説明する図である。
【発明を実施するための形態】
【０００９】
以下、添付した図を参照して、本発明の実施例を詳細に説明する。なお、以下の説明中の寸法は一例であり、素材となる帯の寸法や使用者の体型などに応じて適宜定めればよい。
【実施例１】
【００１０】
図１は本発明の一実施例である軽装帯１の正面図（装着時に表となる側から見た図）、図２は軽装帯１の背面図である。軽装帯１は、１枚の素材となる帯２から構成される羽根１１、土台１２、胴１３、手先１４、土台１５を備えている。
【００１１】
羽根１１は後述するように折りたたまれて飾り（羽根）となる部分で、手先１４と連続している根本部分は二つ折りとなっているが先端に向かって次第に開いて１枚の布となっている。羽根１１の長さは、素材となる帯の長さ、羽根のアレンジ等によって適宜定めればよいが、種々のアレンジが可能となるように１４５ｃｍ〜１６５ｃｍ程度とするのが好適である。
【００１２】
胴１３は、装着時に着物の上から使用者の胴体に巻き付けられる部分で、右端部１６、左端部１７はそれぞれ３角形に折りたたまれていて、装着時に使用者の胴体に巻き込みやすくなっている。胴１３の長さは、多くの使用者に適合するように１２０ｃｍ程度とするのが好ましい。胴１３の幅は、素材となる帯の幅と同じで、この実施例では１７ｃｍ程度である。
【００１３】
土台１２は折りたたんで形を整えられた羽根１１が手先１４によって固定される部分で、素材となる帯を幅方向に二つ折りにして構成されている。土台１２は胴１３の右端部１６付近の上線３４の直下に設けられ、その一端は後述する土台１５と、他端は手先１４と連続している。
【００１４】
胴１３の右端部１６側の下部には下紐２２が、左端部１７の下部には下紐２３が、それぞれ縫い付けられている。胴１３の左端１６付近に取り付けられた下紐２２は、胴１３と平行にするのではなく、胴１３の下線と角度αをなすように配置する。この角度αは４５度以下とするのが好ましい。このようにすることによって、装着時に下紐２２を胴１３の内側に入れ込みやすくし、使用時に表面に現れることを防ぐことができる。
【００１５】
手先１４は、折りたたんで形を整えた羽根１１を土台１２に固定する部分で、素材となる帯の手先１４と胴１３の間の部分を幅方向に二つ折りして素材となる帯の幅の半分の幅とし、さらに長さ方向に折り曲げて２枚重ねにして構成されている。手先１４の一端は、胴１３の右端１６付近で胴１３の上線３４からやや下の位置に縫い目３８に沿って縫い止められるとともに、土台１２と連続している。手先１４の他端は羽根１１と連続している。手先１４の先端付近の表側には、面ファスナー１９が取り付けられている。
【００１６】
土台１５は、手先１４と同様に素材となる帯を幅方向に二つ折りして構成されており、胴１３の手先１４が配置されている位置の裏側に胴１３を横切るように固定されている。
【００１７】
土台１５の上部には面ファスナー２０が取り付けられている。面ファスナー２０は、装着時には面ファスナー１９と組み合わされる。
土台１５の上部左側には上紐１８が、上部右側には上紐２１がそれぞれ取り付けられている。装着時には、上紐１８と上紐２１とが、下紐２２と下紐２３とがそれぞれ結ばれる。また、土台１５は、胴１３の背中心を補強する役割も果たしている。
【００１８】
図３（ａ）〜（ｄ）、図４（ａ）〜（ｃ）、図５（ａ）〜（ｄ）は、軽装帯１の製造方法を説明する図である。
【００１９】
素材となる帯２の一端を含み胴１３となる第１の部分３の主要部３ａが、図３（ａ）で見て上側に、第１の部分３の端部３ｂ、素材となる帯２の他端を含み羽根１１となる第２の部分４および第１の部分と第２の部分の中間で土台１２、手先１４、土台１５となる第３の部分５が下側となるように、帯２の長さ方向に二つに折りたたむ。このとき、帯２の表が中側に、裏が外側にくる（第１の部分３の主要部３ａの図３（ａ）で見えている側が裏になる）ようにする（図３（ａ））。なお、帯２が長すぎる場合には、余分な部分を第１の部分３（胴１３）の先端で折り返して処理してもよい。
【００２０】
帯２の折り目の部分の上側の２枚に重なった部分を縫い目３０に沿って斜めに縫い合わせる。幅ａは２ｃｍ程度、高さｂは４ｃｍ程度とするのが好ましい（図３（ｂ））。
【００２１】
縫い目３０に沿って帯２の表が外側になるように折り返して左右を反転し、第１の部分３の主要部３ａが下側に、その端部３ｂ、第２の部分４、第３の部分５が上側になるようにする。図３（ｃ）に示したように、第２の部分４と第３の部分５が第１の部分３の主要部３ａと直交し下方向を向くように折り目３１に沿って折り、さらに、第２の部分４と第３の部分５を中心線３２に沿って幅方向に二つ折りにする。第１の部分３の主要部３ａの左端から折り目３１の下端までの寸法Ｌは、１７ｃｍ程度とするのが好ましい。主要部３ａは、ほぼそのまま胴１３となる。
【００２２】
図３（ｄ）に示したように、第１の部分３の下線３３に沿って第２の部分４と第３の部分５を上に折り返す。第１の部分３の上線３４と下線３３に挟まれる部分が土台１５となる。下線３３のすぐ上の縫い目３３ａで第１の部分３と第３の部分５を縫い合わせる。第１の部分３の上線３４のやや下の位置に上縁２０ａがくるように土台１５の上部に面ファスナー２０を取り付ける。
【００２３】
面ファスナー２０を縫合によって取り付ける場合には、第２の部分４、第３の部分５を構成する２枚の帯地４ａ、４ｂとだけ縫合し、その下になる第１の部分３の主要部３ａ（胴１３）とは縫合しないようにする（図４（ａ））。
【００２４】
第２の部分４を第１の部分３の上線３４から２５ｃｍ程度上の位置で下に折り返して、二つ折りにされた帯地をさらに２重にしてこの部分は帯地が４枚重ねとなるようにする。この状態で上線３４より上にある部分が手先１４となる（図４（ｂ））。
【００２５】
手先１４の先端の折り山３５よりやや下の位置に面ファスナー１９を取り付ける。折り山３５の下方１１ｃｍ程度の位置で縫い目３６に沿って、重なっている４枚の帯地４ａ、４ｂ、４ｃ、４ｄを縫い合わせる。さらに、折り山３５の下方１９ｃｍ程度の位置（胴１３の上線３４のやや上方）で、縫い目３７に沿って上から３枚の布地４ａ、４ｃ、４ｄを縫い合わせる。縫い目３７は手先１４の幅の全部とするのではなく中央付近のみとする。縫い目３７よりも下の部分が羽根１１となる。このようにすれば、羽根１１の根本が左右に動かしやすくなる（図４（ｃ））。
【００２６】
手先１４を胴１３の上線３４で装着時の表側に折り曲げ、折り山３９の下方３ｃｍ程度の位置で手先１４の表側に回した部分、土台１５の上部、胴１３の上線付近を縫い目３８に沿って縫い合わせる（図５（ａ）、（ｂ））。羽根１１の折り山３９と縫い目３８の間の部分が羽根１１を固定する土台１２となる。
【００２７】
胴１３の左端部１６の下部の３角形部分を中側に折り込む（図５（ｃ））。
折り込んだ部分の下部に下紐２２の端部を挟み込んで胴１３に下紐２２を縫い止める。下紐２２は、胴１３と平行ではなく胴１３の下線と４５度以下の角度をなすように取り付ける。土台１５の上部に上紐１８、２１を、胴１３の右端１７の下部に下紐２３をそれぞれ縫い止める。胴１３の右端１７の上下の偶角部４０は斜めに折り曲げて縫い止める（図５（ｄ））。これにより、使用時に胴１３が巻き込み易くなる。
【００２８】
以上説明したように、軽装帯１は素材となる帯２を裁断することなく、折り曲げと縫合することによって製造される。そのため、縫合部分をほどくことによって容易に素材となる帯２を元の状態に戻すことができる。
【００２９】
図６（ａ）〜（ｄ）は羽根の作り方の一例を示す図である。羽根１１を長さ方向に４等分するように折りたたみ胴１３よりやや上方になるように積み重ねる（図６（ａ））。
【００３０】
折りたたんだ羽根１１の中央部分の幅を狭くして全体が蝶の羽根のような形になるようにする（図６（ｂ））。
【００３１】
手先１４を上方に持ち上げてその先端を裏側に回して、羽根１１の中央部を束ねるようにし、手先１４の先端の面ファスナー１９と土台１５の上部の面ファスナー２０（図２参照）をかみ合わせて、形を作った羽根１１を土台１２（図１参照）に固定する（図６（ｃ）、（ｄ））。
【００３２】
このように、軽装帯１においては、素材となる帯の一部を裁断することなく羽根１１とし利用し、形を作った後は手先１４で束ねて止めて羽根を胴に係止することができる。そのため、手先１４の面ファスナー１９を土台１５の面ファスナー２０から外すだけで、羽根１１を簡単に図１の状態に戻し、他の形状に作り替えることができる。従って、多様な意匠をこらした羽根を何度でも作り直すことが可能となり、羽根作りの技術を容易に習得することができる。その場合、必要ならば、縫合部分をほどくことによって容易に帯を元の状態に戻すことができるので、反復性のある軽装帯が得られる。
【００３３】
図７（ａ）〜（ｇ）は、軽装帯１の装着方法を説明する図である。上紐２１と上紐１８をそれぞれ左右の手に持ち羽根１１が使用者の背骨の位置になるように胴１３を背中に当てる。羽根１１は、例えば図６に示した要領であらかじめ形を整え手先１４で固定しておく（図７（ａ））。
【００３４】
軽装帯１の位置がずれないように上紐１８、２１を前に引き結びあわせる。このとき、使用者の側方から見て上紐１８、２１の前の方がやや下がるようにしておくとよい（図７（ｂ））。
【００３５】
矢印Ａ１、Ａ２に示すように胴１３を使用者の左後から前を通り右脇から後ろに回し、使用者の胴体に巻く（図７（ｃ））。
【００３６】
胴１３の右端１６は、矢印Ｂに示すように使用者の体に接するように内側に巻き込み、矢印Ｃに示すように下紐２２、２３を前に引いて引き締め結びあわせる（図７（ｄ）、（ｅ））。
【００３７】
使用者の背中の胴１３が２重に重なった部分４１の下線がそろっているか確認して整え、上紐１８、２１、下紐２２、２３を胴１３からはみ出ないように中に入れ込む（図７（ｆ）、（ｇ））。胴１３の右端１６の下線に取り付けられた下紐２２は、下線に対して斜めに取り付けられているから、容易に胴１３の内側に入れ込み、表面に見えることを防ぐことができる。
【符号の説明】
【００３８】
１  軽装帯
１１  羽根
１２  土台
１３  胴
１４  手先
１５  土台
１８  上紐
１９  面ファスナー
２０  面ファスナー
２１  上紐
２２  下紐
２３  下紐
【図１】
2014001482.tif 000003
【図２】
2014001482.tif 000004
【図３】
2014001482.tif 000005
【図４】
2014001482.tif 000006
【図５】
2014001482.tif 000007
【図６】
2014001482.tif 000008
【図７】
2014001482.tif 000009